(57)【要約】【課題】精密な調光制御を必要とすることなく、夜景と人物の撮影を行うことができる撮影装置を提供する。【解決手段】顔検出部４が、撮像部３で撮像された画像から被写体の顔を検出し、演算部８が、顔検出部４で検出された被写体の顔の大きさに応じて発光量を計算し、発光量制御部１０が、演算部８で計算された発光量でフラッシュ発光部１１を発光させるようにした。これにより、精密な調光制御を必要とすることなく、夜景と人物の撮影を行うことが可能となる。特に、顔の大きさが大きくなるに従って発光量を小さくするので、被写体が近くなっても白飛びしてしまうことがなく、最適な発光量で撮影を行うことができる。【選択図】図１
2014016415.tif 000002
【特許請求の範囲】
【請求項１】
撮像し画像を取得可能な撮像部と、
表示部と、
被写体に対して発光可能なフラッシュ発光部と、を備え、
前記画像から被写体の顔を検出した場合、前記フラッシュ発光部は前記顔の大きさに応じて発光量を変えて発光し、
前記表示部は、前記フラッシュ発光部が発光した時に前記撮像部で撮像された画像を表示する、
撮影装置。
【請求項２】
請求項１に記載の撮影装置であって、
前記フラッシュ発光部は、前記顔の大きさが大きくなるに従って発光量を小さくする、
撮影装置。
【請求項３】
請求項１又は請求項２に記載の撮影装置であって、
撮影操作が行われた場合、かつ、前記画像から被写体の顔を検出した場合、前記フラッシュ発光部は前記顔の大きさに応じて発光量を変えて発光する、
撮影装置。
【請求項４】
請求項１から請求項３のいずれか１項に記載の撮影装置であって、
前記被写体の顔が検出されなかった場合においては、
撮影操作が行われた場合、所定の発光量で前記フラッシュ発光部が発光する、
撮影装置。
【請求項５】
請求項１から請求項３のいずれか１項に記載の撮影装置であって、
前記被写体の顔が検出されなかった場合においては、
前記フラッシュ発光部をプリ発光させ、該プリ発光の結果に基づき撮影時の発光量を変えて発光する、
撮影装置。
【請求項６】
請求項１から請求項５のいずれか１項に記載の撮影装置であって、
記憶部を備え、
前記記憶部は、前記フラッシュ発光部が発光した時に前記撮像部で撮像された画像を保存する、
撮影装置。
【請求項７】
請求項６に記載の撮影装置であって、
前記記憶部は、着脱可能である、
撮影装置。
【請求項８】
撮像し画像を取得可能な撮像部と、
表示部と、
被写体に対して発光可能なフラッシュ発光部と、を備えた撮影装置で利用可能な撮影方法であって、
前記画像から被写体の顔を検出した場合、前記フラッシュ発光部は前記顔の大きさに応じて発光量を変えて発光し、
前記表示部は、前記フラッシュ発光部が発光した時に前記撮像部で撮像された画像を表示する、
撮影方法。
【発明の詳細な説明】
【技術分野】
【０００１】
本発明は、デジタルカメラや、スマートフォン、タブレット等の携帯情報端末に用いて好適な撮影装置に関する。
【背景技術】
【０００２】
撮影装置におけるフラッシュ発光量を調整する技術として、例えば特許文献１，２に記載されているものがある。特許文献１には、放電管等からなる第１の補助光源と、白色発光ダイオード等の発光素子或いは白色電球からなる第２の補助光源とを備え、これらの光源を、距離測定時に得られた距離データに基づいて選択する技術が開示されている。特許文献２には、画像情報から得られる発光条件の異なる２つの露出レベルを参照し、発光量を最適化する技術が開示されている。
【先行技術文献】
【特許文献】
【０００３】
【特許文献１】特開２００５−２４９９６０号公報
【特許文献２】特開２００４−０５６７１３号公報
【発明の概要】
【発明が解決しようとする課題】
【０００４】
ところで、夜景と人物を撮影するためには、スローシンクロと呼ばれる手法が利用されている。スローシンクロとは、通常のフラッシュ撮影よりもシャッタースピードを遅くし、それにフラッシュを同期させて発光させる手法である。しかしながら、スローシンクロを用いると、フラッシュ光で撮影する人物が近いと白飛びしてしまうことがあり、この現象が起こらないようにフラッシュの発光量を適正にするためには、本発光の前にプリ発光を行うなど、精密な調光制御が必要となる。
【０００５】
本発明は、係る事情に鑑みてなされたものであり、精密な調光制御を必要とすることなく、夜景と人物の撮影を行うことができる撮影装置を提供することを目的とする。
【課題を解決するための手段】
【０００６】
本発明の撮影装置は、撮像し画像を取得可能な撮像部と、表示部と、被写体に対して発光可能なフラッシュ発光部と、を備え、前記画像から被写体の顔を検出した場合、前記フラッシュ発光部は前記顔の大きさに応じて発光量を変えて発光し、前記表示部は、前記フラッシュ発光部が発光した時に前記撮像部で撮像された画像を表示する。
【０００７】
上記構成によれば、撮像部で撮像された画像から被写体の顔を検出し、検出した被写体の顔の大きさに応じて発光量を変えるようにしたので、精密な調光制御を必要とすることなく、夜景と人物の撮影を行うことが可能となる。
【０００８】
上記構成において、前記フラッシュ発光部は、前記顔の大きさが大きくなるに従って発光量を小さくする。
【０００９】
上記構成によれば、被写体の顔の大きさが大きくなるに従って発光量を小さくするようにしたので、被写体が近くなっても白飛びしてしまうことがなく、最適な発光量で撮影を行うことができる。
【００１０】
上記構成において、撮影操作が行われた場合、かつ、前記画像から被写体の顔を検出した場合、前記フラッシュ発光部は前記顔の大きさに応じて発光量を変えて発光する。
【００１１】
上記構成によれば、撮影操作が行われた場合、かつ画像から被写体の顔が検出された場合に、被写体の顔の大きさに応じて発光量を変えて発光するので、最適な発光量で撮影を行うことができる。
【００１２】
上記構成において、前記被写体の顔が検出されなかった場合においては、撮影操作が行われた場合、所定の発光量で前記フラッシュ発光部が発光する。
【００１３】
上記構成によれば、被写体の顔が検出されなくても、略最適な発光量で撮影を行うことができる。
【００１４】
上記構成において、前記被写体の顔が検出されなかった場合においては、前記フラッシュ発光部をプリ発光させ、該プリ発光の結果に基づき撮影時の発光量を変えて発光する。
【００１５】
上記構成によれば、被写体の顔が検出されなくても、最適な発光量で撮影を行うことができる。
【００１６】
上記構成において、記憶部を備え、前記記憶部は、前記フラッシュ発光部が発光した時に前記撮像部で撮像された画像を保存する。
【００１７】
上記構成によれば、撮像部で撮像された画像を保存することができる。
【００１８】
上記構成において、前記記憶部は、着脱可能である。
【００１９】
上記構成によれば、記憶部そのものを持ち運ぶことが可能となり、利便性の向上が図れる。
【００２０】
本発明の撮影方法は、撮像し画像を取得可能な撮像部と、表示部と、被写体に対して発光可能なフラッシュ発光部と、を備えた撮影装置で利用可能な撮影方法であって、前記画像から被写体の顔を検出した場合、前記フラッシュ発光部は前記顔の大きさに応じて発光量を変えて発光し、前記表示部は、前記フラッシュ発光部が発光した時に前記撮像部で撮像された画像を表示する。
【００２１】
上記方法によれば、撮像部で撮像された画像から被写体の顔を検出し、検出した被写体の顔の大きさに応じて発光量を変えるようにしたので、精密な調光制御を必要とすることなく、夜景と人物の撮影を行うことが可能となる。
【発明の効果】
【００２２】
本発明によれば、精密な調光制御を必要とすることなく、夜景と人物の撮影を行うことが可能となる。
【図面の簡単な説明】
【００２３】
【図１】本発明の実施の形態１に係る撮影装置の概略構成を示すブロック図
【図２】図１の撮影装置において、プレビュー画像中の顔検出枠の大きさと、発光量の違いを模式的に示した図
【図３】図１の撮影装置の顔検出から画像保存までの処理を示すフローチャート
【図４】本発明の実施の形態２に係る撮影装置の顔検出から画像保存までの処理を示すフローチャート
【発明を実施するための形態】
【００２４】
以下、本発明を実施するための好適な実施の形態について、図面を参照して詳細に説明する。
【００２５】
（実施の形態１）
図１は、本発明の実施の形態１に係る撮影装置の概略構成を示すブロック図である。本実施の形態に係る撮影装置１は、デジタルカメラに用いることができることは勿論のこと、携帯電話機やスマートフォン等の携帯無線機にも用いることができる。同図において、本実施の形態に係る撮影装置１は、操作部２と、撮像部３と、顔検出部４と、制御部５と、表示部６と、記憶部７と、演算部８と、パラメータ部９と、発光量制御部１０と、フラッシュ発光部１１とを備える。操作部２は、シャッターボタン等の各種操作ボタンを有し、撮影装置１を操作するための各種信号を制御部５に出力する。撮像部３は、ＣＣＤ（Charge Coupled Device）やＣＭＯＳ（Complementary Metal Oxide Semiconductor）等の撮像素子を有し、撮像した画像を出力する。顔検出部４は、撮像部３で撮像された画像から被写体の顔を検出する。なお、画像から被写体の顔を検出する技術として、例えば特開２００９−２２９５７１号公報で開示されたものがあり、この公報で開示された技術を用いることで顔検出を行うことができる。
【００２６】
制御部５は、操作部２から出力される各種信号に従って各種制御を行う。例えば、操作部２で装置を起動する操作（電源オン操作）が行われた場合、撮像部３で撮像された画像をプレビュー画像として表示部６に表示する。また、制御部５は、操作部２でシャッターを切る操作が行われた場合、当該操作が行われたときに撮像部３で撮像された画像を一時的に保持する。また、制御部５は、撮像部３で撮像された画像を一時的に保持している状態で、操作部２で画像を保存する操作が行われた場合、保持中の画像を記憶部７に書き込む。また、制御部５は、操作部２で、記憶部７に記憶されている画像を表示させる操作が行われた場合、記憶部７から当該画像を読み出して表示部６に出力する。
【００２７】
演算部８は、顔検出部４で検出された被写体の顔の大きさに応じた発光量を計算する。この際、演算部８は、パラメータ部９に保存されているパラメータを用いる。パラメータ部９は、ＲＯＭ等の不揮発性メモリであり、被写体の顔の大きさに応じたパラメータと、所定の発光量を得るためのパラメータを記憶している。発光量制御部１０は、演算部８で計算された発光量でフラッシュ発光部１１が発光するように制御する。フラッシュ発光部１１は、キセノンランプやＬＥＤ（発光ダイオード）等の光源を有し、発光量制御部１０によって発光制御される。
【００２８】
図２は、プレビュー画像中の顔検出枠の大きさと、発光量の違いを模式的に示した図である。顔検出部４は、被写体の顔を検出することで顔検出枠１５を設定する。演算部８は、顔検出部４で設定された顔検出枠１５の大きさに対応するパラメータをパラメータ部９から読み出し、読み出したパラメータに基づいて発光量を計算する。図２の（ａ）に示すように、顔検出枠１５が大きい場合は、被写体１４が近い位置にいるので、発光量は小さくなる。一方、図２の（ｂ）に示すように、顔検出枠１５が小さい場合は、被写体１４が遠い位置にいるので、発光量は大きくなる。このように、顔の大きさが小さくなるに従って、発光量が大きくなる。
【００２９】
本実施の形態に係る撮影装置では、顔検出部４、制御部５、演算部８及び発光量制御部１０を、ＣＰＵ（Central Processing Unit）、ＲＯＭ（Read Only Memory）、ＲＡＭ（Random Access Memory）及びインタフェース回路で構成するが、それぞれを単独の回路で構成できることは言うまでも無い。なお、ＣＰＵ、ＲＯＭ等で構成する場合、ＲＯＭにはＣＰＵを制御するためのプログラムが書き込まれる。
【００３０】
次に、本実施の形態に係る撮影装置１の動作を説明する。
図３は、本実施の形態に係る撮影装置１の顔検出から画像保存までの処理を示すフローチャートである。同図において、顔検出部４は、撮像部３で撮像された画像（即ちプレビュー画像）を読み込み（ステップＳ１）、読み込んだプレビュー画像から被写体の顔を検出できるかどうか判定する（ステップＳ２）。顔検出部４は、顔を検出できた場合（即ち、ステップＳ２の判定で「Ｙｅｓ」と判断した場合）、その顔の大きさに応じた顔検出枠１５を設定する。顔検出枠１５が設定されると、演算部８が、被写体の顔の大きさに対応するパラメータをパラメータ部９から読み出し、読み出したパラメータに基づいて発光量を計算する（ステップＳ３）。次いで、計算した発光量を発光量制御部１０に設定する（ステップＳ４）。一方、ステップＳ２の判定で、顔検出部４は、顔を検出できなかった場合（即ち、ステップＳ２の判定で「Ｎｏ」と判断した場合）、演算部８が、パラメータ部９から所定の発光量を得るためのパラメータを読み出し、読み出したパラメータに基づいて発光量を計算する（ステップＳ５）。なお、このとき得られる発光量が所定の発光量である。
【００３１】
演算部８は、所定の発光量を計算した後、該発光量を発光量制御部１０に設定する（ステップＳ４）。演算部８が発光量制御部１０に発光量を設定した後、制御部５は、撮影かどうか判定する（ステップＳ６）。即ち、操作部２のシャッターボタン（図示略）が操作されたかどうか（押されたかどうか）判定する。撮影と判定した場合（即ち、ステップＳ６の判定で「Ｙｅｓ」と判断した場合）、制御部５は、演算部８を介して発光量制御部１０にフラッシュ発光を指示し、フラッシュ発光撮影を行う（ステップＳ７）。フラッシュ発光撮影後、撮像された画像を保存する操作があると、制御部５は、撮像された画像を記憶部７に保存する（ステップＳ８）。一方、上記ステップＳ６の判定において、撮影でないと判定した場合（即ち、ステップＳ６の判定で「Ｎｏ」と判断した場合）は、ステップＳ１に戻り、顔検出部４がプレビュー画像の読み込みを再開する。フラッシュ発光撮影が行われた後、またはフラッシュ発光撮影が行われて、撮像された画像が記憶部７に保存された後、本処理が終了する。
【００３２】
このように実施の形態１に係る撮影装置１によれば、顔検出部４が、撮像部３で撮像された画像から被写体の顔を検出し、演算部８が、顔検出部４で検出された被写体の顔の大きさに応じて発光量を計算し、発光量制御部１０が、演算部８で計算された発光量でフラッシュ発光部１１を発光させるようにしたので、精密な調光制御を必要とすることなく、夜景と人物の撮影を行うことが可能となる。特に、顔の大きさが大きくなるに従って発光量を小さくするので、被写体が近くなっても白飛びしてしまうことがなく、最適な発光量で撮影を行うことができる。
【００３３】
また、被写体の顔が検出されなかった場合には、撮影操作が行われたときに、所定の発光量でフラッシュ発光させるようにしたので、被写体の顔が検出されなくても、略最適な発光量で撮影を行うことができる。
【００３４】
なお、実施の形態１に係る撮影装置１では、図３のフローチャートで示す処理を記述したプログラムをＲＯＭに持たせるが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【００３５】
（実施の形態２）
本発明の実施の形態２に係る撮影装置は、前述した実施の形態１に係る撮影装置１の演算部８及び制御部５に新たな機能を追加した以外、実施の形態１に係る撮影装置１と同様の構成を採るので、図１を援用することとする。また、本実施の形態に係る撮影装置には符号１Ａを付けることとし、また演算部には符号８Ａを、制御部には符号５Ａを付けることとする。本実施の形態に係る撮影装置１Ａは、顔検出部４が被写体の顔を検出できなかった場合、制御部５Ａが、発光量制御部１０に指示を与えて、フラッシュ発光部１１をプリ発光させ、このプリ発光の結果に基づき、演算部８Ａが、撮像された画像の輝度に基づいて所定のアルゴリズムで本発光量を計算し、計算した本発光量を発光量制御部１０に設定する。発光量制御部１０は、設定された発光量でフラッシュ発光部１１を発光させる。
【００３６】
図４は、本実施の形態に係る撮影装置１Ａの顔検出から画像保存までの処理を示すフローチャートである。同図において、ステップＳ１０〜ステップＳ１３及びステップＳ１７〜ステップＳ１９の各処理は、図３に示すステップＳ１〜ステップＳ４及びステップＳ６〜ステップＳ８の各処理と同様の処理なので、共通するこれらの処理についての説明は省略する。
【００３７】
ステップＳ１１において、顔検出部４は、読み込んだプレビュー画像から被写体の顔を検出できなかった場合（即ち、ステップＳ１１の判定で「Ｎｏ」と判断した場合）、制御部５Ａが、撮影かどうか判定する（ステップＳ１４）。即ち、操作部２のシャッターボタン（図示略）が操作されたかどうか（押されたかどうか）判定する。撮影と判定した場合（即ち、ステップＳ１４の判定で「Ｙｅｓ」と判断した場合）、制御部５Ａが、発光量制御部１０に指示を与えて、フラッシュ発光部１１をプリ発光させる（ステップＳ１５）。そして、プリ発光の結果に基づき、演算部８Ａが、撮像された画像の輝度に基づいて所定のアルゴリズムで発光量（本発光量）を計算し、計算した発光量を発光量制御部１０に設定する（ステップＳ１６）。発光量制御部１０に発光量が設定されると、制御部５Ａが、演算部８Ａを介して発光量制御部１０にフラッシュ発光を指示する。
【００３８】
このように本実施の形態に係る撮影装置１Ａによれば、被写体の顔を検出できなかった場合に、フラッシュ発光部１１をプリ発光させ、該プリ発光の結果に基づき撮影時の発光量を変えて発光させるようにしたので、被写体の顔を検出できなくても、最適な発光量で撮影を行うことができる。
【００３９】
なお、実施の形態２に係る撮影装置１Ａにおいても図４のフローチャートで示す処理を記述したプログラムをＲＯＭに持たせるが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【産業上の利用可能性】
【００４０】
本発明は、精密な調光制御を必要とすることなく、夜景と人物の撮影を行うことができるといった効果を有し、デジタルカメラや、スマートフォン、タブレット等の携帯情報端末への適用が可能である。
【符号の説明】
【００４１】
１，１Ａ  撮影装置
２  操作部
３  撮像部
４  顔検出部
５，５Ａ  制御部
６  表示部
７  記憶部
８，８Ａ  演算部
９  パラメータ部
１０  発光量制御部
１１  フラッシュ発光部
１４  被写体
１５  顔検出枠
【図１】
2014016415.tif 000003
【図２】
2014016415.tif 000004
【図３】
2014016415.tif 000005
【図４】
2014016415.tif 000006